(57)【要約】【課題】戸枠の中側壁面から開き戸の外面までの寸法にあわせ簡単に対応でき、悪戯されて部屋に閉じ込められる可能性が極めて低いドア用補助錠の提供。【解決手段】戸枠８の先端面側に取付けされた金属製プレート１ａと、前記金属製プレート１ａの取付面の背面側及び戸枠８と開き戸９との隙間部分から室外にまで至る板部２と、前記板部２の室外部分に開き戸９の開状態を当接態様で阻止する錠３とから構成され、錠３の一部又は全部が開き戸の開閉軌跡上から外れたときには引き９戸の開閉が自由になるドア用補助錠において、前記板部２における金属製プレート背面側にヒンジ部２０を設けると共にヒンジ部２０よりも内側のみを取付けてあり、前記ヒンジ部２０を構成する軸部２１を抜き差し可能としてある。【選択図】図１
2008291450.tif 000002
【特許請求の範囲】
【請求項１】
戸枠の先端面側に取り付けられる金属製プレートと、前記金属製プレートの取り付け面の背面側及び戸枠と開き戸との隙間部分から室外にまで至る板部と、前記板部の室外部分に開き戸の開状態を当接態様で阻止する錠とから構成され、錠の一部又は全部が開き戸の開閉軌跡上から外れたときには開き戸の開閉が自由になるドア用補助錠において、前記板部における金属製プレート背面側にヒンジ部を設けてあると共にヒンジ部よりも内側のみを取り付けてあり、前記ヒンジ部を構成する軸部を抜き差し可能としてあることを特徴とするドア用補助錠。
【請求項２】
開き戸の開状態において、ヒンジ部を介して板部及び錠を室内に収容できるようになっていることを特徴とする請求項１記載のドア用補助錠。
【請求項３】
錠は、符号錠、又はキーにより開錠できる錠であることを特徴とする請求項１又は２記載のドア用補助錠。
【請求項４】
金属製プレートにおける戸枠の先端面側への取り付けは、クランプホルダー又はマジックテープにより行われていることを特徴とする請求項１乃至３のいずれかに記載のドア用補助錠。
【発明の詳細な説明】
【技術分野】
【０００１】
この発明は、戸枠の中側壁面から開き戸の外面までの寸法が相違する場合でも少しの部品の交換で対応でき、悪戯されて部屋に閉じ込められる可能性が極めて低いドア用補助錠に関するものである。
【背景技術】
【０００２】
この種のドア用補助錠としては、例えば特許文献１に示すようなものがある。
この錠は、基本的には開き戸の戸枠側に、開き戸の開き方向に突出する施錠部材保持片を取り付け、この施錠部材保持片に施錠部材装着部を形成し、この施錠部材装着部の開き戸側に施錠部材を装着し、施錠部材を開き戸に当接するようにすることにより施錠を行う錠である。
【０００３】
しかしながら、この錠の場合、戸枠の中側壁面から開き戸の外面までの寸法が相違する場合には全く対応ことができず、更には、悪戯等により施錠部材保持片を開き戸側に折り曲げられた場合には基本的には部屋にと閉じられ、部屋からでることができなくなってしまうという問題がある。
【特許文献１】特開２００２−２２７４８７
【発明の開示】
【発明が解決しようとする課題】
【０００４】
そこで、この発明では、戸枠の中側壁面から開き戸の外面までの寸法が相違する場合でも少しの部品の交換で対応でき、悪戯されて部屋に閉じ込められる可能性が極めて低いドア用補助錠を提供することを課題とする。
【課題を解決するための手段】
【０００５】
（請求項１記載の発明）
この発明は、戸枠の先端面側に取り付けられる金属製プレートと、前記金属製プレートの取り付け面の背面側及び戸枠と開き戸との隙間部分から室外にまで至る板部と、前記板部の室外部分に開き戸の開状態を当接態様で阻止する錠とから構成され、錠の一部又は全部が開き戸の開閉軌跡上から外れたときには開き戸の開閉に自由になるドア用補助錠において、前記板部における金属製プレート背面側にヒンジ部を設けてあると共にヒンジ部よりも内側のみを取り付けてあり、前記ヒンジ部を構成する軸部を抜き差し可能としてある。
【０００６】
（請求項２記載の発明）
この発明のドア用補助錠は、上記請求項１記載の発明に関し、開き戸の開状態において、ヒンジ部を介して板部及び錠を室内に収容できるようになっている。
【０００７】
（請求項３記載の発明）
この発明のドア用補助錠は、上記請求項１又は２の発明に関し、錠は、符号錠、又はキーにより開錠できる錠である。
【０００８】
（請求項４記載の発明）
この発明のドア用補助錠は、上記請求項１乃至３のいずれかの発明に関し、金属製プレートにおける戸枠の先端面側への取り付けは、クランプホルダー又はマジックテープ(登録商標）により行われている。
【発明の効果】
【０００９】
この発明のドア用補助錠によると、戸枠の中側壁面から開き戸の外面までの寸法が相違する場合でも少しの部品の交換で対応でき、悪戯されて部屋に閉じ込められる可能性が極めて低いことになる。
【発明を実施するための最良の形態】
【００１０】
以下にこの発明におけるドア用補助錠を実施するための最良の形態として実施例について詳しく説明する。
【実施例１】
【００１１】
図１はこの発明の実施例１のドア用補助錠Ｊであり、開き戸９が閉まった状態の断面図、図２は前記ドア用補助錠Ｊの分解斜視図、図３は前記ドア用補助錠Ｊの錠の断面図、図４は開閉可能な状態のドア用補助錠の説明図、図５はヒンジ部２０から軸部２１を引き抜いた場合に離脱する部分を示す断面図である。
【００１２】
（このドア用補助錠Ｊの構成について）
このドア用補助錠Ｊは、図１や図２に示すように、基本的にはクランプホルダー１と、板部２と、錠３とから構成されている。
【００１３】
クランプホルダー１は、図１や図２に示すように、背板１０とこれの両端に設けられた歯板１１，１２とから成る断面コ字状部材１１ａ（請求項１の金属プレートに相当する）と、内側の歯板１１に螺子対偶状態に設けられた雄螺子１３と、前記雄螺子１３の一端側に設けられた操作摘み部１４と、前記雄螺子１３の他端側に設けられた押え板１５とから構成されている。なお、このクランプホルダー１は、図１に示すように、操作摘み部１４の締め付け操作(回動)により、戸枠８を歯板１２と押え板１５により挟み込む態様で当該戸枠８に強固に取り付けられるようになっている。また、このクランプホルダー１は金属材料や硬質樹脂により構成されている。
【００１４】
板部２は、図１や図２に示すように、前記断面コ字状部材１ａの背板１０の背面部に添設されており、当該背面部から外側の歯板１２を超えて更に戸枠８と開き戸９との隙間部分から室外にまで至るものとしてある。ここで、前記板部２の背面対応部にはヒンジ部２０を設けてあると共にヒンジ部２０よりも内側のみを断面コ字状部材１ａに対して螺子止めしてあり、前記ヒンジ部２０を構成する軸部２１が容易に抜き差しできるようにしてある。したがって、この板部２は、図４に示すように、ヒンジ部２０を介して当該ヒンジ部２０より外側部分を揺動させて室内に移動させることができ、他方、上記軸部２１の抜き取りによりヒンジ部２０より外側部分を取り外す（交換も可能）ことができるものとなっている。なお、この板材２は金属材料や硬質樹脂により構成されている。
【００１５】
錠３は、図１、２、４に示すように、ロックギボシ３０と、符号錠本体３１とから構成されており、閉錠状態ではロックギボシ３０に対して符号錠本体３１が係止状態（図３に示す如く周溝部３０ａと凸部３１ａとの係止による）となって分離することができず、開錠状態ではロックギボシ３０に対して符号錠本体３１が非係止状態（周溝部３０ａから凸部３１ａが外れることによる）となって分離できるようになっている。ここで、この実施例では、ロックギボシ３０は、図３に示す如き、板部２側に取り付けられ、短円筒３２（金属、硬質樹脂、硬質ゴム製）が取り付けられた符号錠本体３１が前記ロックギボシ３０と係止状態となるものとしてある。この状態において前記短円筒３２の存在により開き戸９がガタツキなくしっかりと閉められた状態に維持される。なお、ここで言う符号錠３１とは、板状のキーを使用することなく、例えば一回以上回動→予め決められた数字へ順に回動(例えば２→５→４)させることにより開錠できるものである。なお、上記形態のものに限られるものではなく、１〜９までの数字が刻印等されている複数のリングを、予め決められた数字に配列されたときにのみ開錠できるものである。さらに言えば、板状キーをキー孔に差し込んで回動させるタイプの錠でもよい。要するに、錠３の一部又は全部が開き戸の開閉軌跡上から外れたときには開き戸９が開閉可能となるようにできればよいのである。
【００１６】
（このドア用補助錠Ｊの優れた作用・効果について）
このドア用補助錠Ｊは、上記のような構成であるから、以下に示すような作用・効果を奏する。
（１）「悪戯されて部屋に閉じ込められる可能性が極めて低い」ことについて
Ａ．このドア用補助錠Ｊでは、開き戸９を開状態可能にする場合、先ず符号錠本体３１を予め決められたように回動し、板部２に取り付けられているロックギボシ３０から符号錠本体３１を引き抜く態様で取り外す。この状態では、開き戸９は手前側に引き出して開状態にすることができるものとなっている。
Ｂ．開き９を開き、図４に示すように、ヒンジ部２０を介して板部２を折りたたみ室内に位置させる。この状態において、再びロックギボシ３０に符号錠本体３１を取り付ける。つまり、このドア用補助錠Ｊでは錠３は室外に残らないことになる。したがって、自身が室内に入った後に、知らない間に外から開き戸９が開閉不能とされる可能性は低い。何故ならば、錠３を使用しようとすると、開き戸９を開けなければならず、これにより室内にいる者が気付くからである。
Ｃ．また、万が一、錠３を使用して、外側から開き戸９が開けられない状態とされた場合には、図１の状態において、ヒンジ部２０から軸部２１を取り外す。すると、このドア用補助錠Ｊの場合、室内から開き戸９を押すと、ヒンジ部２０から室外寄りの板部２部分(図５の黒塗りの部分)と共に錠３は位置拘束されないので開き戸９は開くことになる。つまり、開き戸９が開閉不能とされる可能性は極めて低いものとなる。
（２）「戸枠の中側壁面から開き戸の外面までの寸法が相違する場合でも少しの部品の交換で対応できる」ことについて、
このドア用補助錠Ｊでは、ヒンジ部２０から室外寄りの板部２部分(図５の黒塗りの部分)及び錠３の構成物であるロックギボシ３０までの距離を変えた、複数種類のパーツを所有しておけば、ヒンジ部２０から軸部２１を引き抜く作業をするだけで、様々な状況の開き戸９にも対応できる。
【００１７】
（その他の形態について）
戸枠の先端面側に金属製プレートを取り付ける対応としては、ネジ止め、クランプホルダー、マジックテープ(登録商標）を使用することができる。
【図面の簡単な説明】
【００１８】
【図１】この発明の実施例１のドア用補助錠であり、開き戸が閉まった状態の断面図。
【図２】前記ドア用補助錠Ｊの分解斜視図。
【図３】ドア用補助錠に使用される錠の断面図。
【図４】開閉可能な状態のドア用補助錠の説明図。
【図５】ヒンジ部から軸部を引き抜いた場合に離脱する部分を示す断面図。
【符号の説明】
【００１９】
Ｊ      ドア用補助錠
１      クランプホルダー
１ａ    断面コ字状部材
１０    背板
１１    歯板
１２    歯板
１３    雄螺子
１４    操作摘み部
１５    押え板
２      板部
２０    ヒンジ部
２１    軸部
３      錠
３０    ロックギボシ
３１    符号錠本体
３２    短円筒
８      戸枠
９      開き戸
【図１】
2008291450.tif 000003
【図２】
2008291450.tif 000004
【図３】
2008291450.tif 000005
【図４】
2008291450.tif 000006
【図５】
2008291450.tif 000007